(57)【要約】【課題】昇降機を停止させることなく、通常想定できないような特殊な故障の調査を確実に行なえる昇降機の故障状態表示装置の提供。【解決手段】故障データの捕捉トリガ条件を設定する条件設定指令、および捕捉デバイス情報を設定するデバイス設定指令を出力する設定指令手段を備えた。これにより、昇降機１に特殊な故障が生じた場合、条件設定指令とデバイス設定指令を出力して一般公衆回線１０を介して昇降機１へ送信し、第２記憶部５に記憶される捕捉トリガ条件および第３記憶部６に記憶される捕捉デバイス情報を書き換えた後、再び故障調査用の情報を捕捉して故障状態表示装置２１へ送信する。【選択図】図１
2005067760.tif 000002
【特許請求の範囲】
【請求項１】
昇降機に故障が発生したときに故障調査用の情報を記憶する第１記憶部と、前記昇降機から出力される出力信号がどのような状態になったときに前記故障調査用の情報として捕捉するかに関する捕捉トリガ条件を記憶する第２記憶部と、前記昇降機のどの部位から出力される出力信号を前記故障調査用の情報として捕捉するかに関する捕捉デバイス情報を第３記憶部とを有する昇降機にあって、この昇降機と一般公衆回線を介して通信を行ない、前記故障調査用の情報を遠隔にて受信して表示する昇降機の故障状態表示装置において、
前記捕捉トリガ条件を設定する条件設定指令、および前記捕捉デバイス情報を設定するデバイス設定指令の少なくとも一方を出力する設定指令手段を備えたことを特徴とする昇降機の故障状態表示装置。
【請求項２】
あらかじめパターン化した複数の前記捕捉トリガ条件および捕捉デバイス情報を記憶する記憶部と、これらの捕捉トリガ条件および捕捉デバイス情報のいずれかを選択する選択手段とを備えたことを特徴とする請求項1記載の昇降機の故障状態表示装置。
【請求項３】
前記第２記憶部に記憶される捕捉トリガ条件、および前記第３記憶部に記憶される捕捉デバイス情報を遠隔的に書き換える書き換え手段を備えたことを特徴とする請求項１記載の昇降機の故障状態表示装置。
【発明の詳細な説明】
【技術分野】
【０００１】
本発明は、昇降機の故障状態表示装置に係わり、特に、顧客の都合などで停止させることが不可能な昇降機の故障調査を、昇降機保守会社の事務所内などで任意の時間帯に行なうのに好適な昇降機の故障状態表示装置に関する。
【背景技術】
【０００２】
一般に、故障原因の調査を目的とした情報として昇降機の様々な信号の状態を昇降機の記憶部に保存しており、昇降機に故障が発生したときに昇降機保守会社の技術者が昇降機が設置されている建物に出動し、昇降機を停止させて前記の記憶部に保存してある昇降機の様々な信号の状態を読み取るようになっている。
【０００３】
しかしながら、昇降機の記憶部の容量制限から昇降機の全ての信号を保存しているわけではなく、故障調査に有効と考えられる一部の信号のみを保存しているため、昇降機に通常想定することができないような特殊な故障が発生した場合には、故障調査に必要な信号が保存されておらず昇降機の故障原因を特定することができないという問題がある。
【０００４】
そこで従来、この種の特殊な故障の調査のため、必要となる前記の記憶部の詳細情報を監視センタから読出し、故障復旧を行なうものが提案されている（例えば、特許文献１参照。）。
【特許文献１】特開平５−２０１６３７号公報（段落番号０００８〜００１７、図１）
【発明の開示】
【発明が解決しようとする課題】
【０００５】
ところで、上述した従来技術では、昇降機の故障復旧の時点で必要と思われる詳細情報を得ることができるが、その後、同様な故障の発生時に必要となる情報を収集することまでは考えられておらず、その際には再度監視センタからの情報収集が必要である。
【０００６】
本発明は、上述した従来技術における実状からなされたもので、その目的は、昇降機に通常想定することができないような特殊な故障が発生した場合であっても、昇降機を停止させることを要せずに、昇降機の故障調査を効率的に行なうことのできる昇降機の故障状態表示装置を提供することにある。
【課題を解決するための手段】
【０００７】
上記目的を達成させるため本発明の請求項１に係わる発明は、昇降機に故障が発生したときに故障調査用の情報を記憶する第１記憶部と、前記昇降機から出力される出力信号がどのような状態になったときに前記故障調査用の情報として捕捉するかに関する捕捉トリガ条件を記憶する第２記憶部と、前記昇降機のどの部位から出力される出力信号を前記故障調査用の情報として捕捉するかに関する捕捉デバイス情報を第３記憶部とを有する昇降機にあって、この昇降機と一般公衆回線を介して通信を行ない、前記故障調査用の情報を遠隔にて受信して表示する昇降機の故障状態表示装置において、前記捕捉トリガ条件を設定する条件設定指令、および前記捕捉デバイス情報を設定するデバイス設定指令を出力する設定指令手段を備えた構成にした。
【０００８】
このように構成した請求項１に係わる発明では、昇降機に故障が発生した際、例えば昇降機保守会社の技術者は、第１記憶部に記憶される故障調査用の情報を遠隔で取得して表示し、この表示に基づいて昇降機の故障を調査する。また、昇降機の故障が通常想定できないような特殊なため故障調査に必要な情報が取得できなかった場合には、設定指令手段より捕捉トリガ条件を設定する条件設定指令出力し、捕捉デバイス情報を設定するデバイス設定指令を出力して一般公衆回線を介して昇降機へ送信し、前記の条件設定指令に基づいて第２記憶部に記憶される捕捉トリガ条件を書き換えることにより、昇降機からの出力信号がどのような状態になったときに故障調査用の情報として捕捉するかを設定するとともに、前記のデバイス設定指令に基づいて第３記憶部に記憶される捕捉デバイス条件を書き換えることにより、昇降機のどの部位からの出力信号を故障調査用の情報として捕捉するかを設定する。これにより、昇降機に通常想定することができないような特殊な故障が発生した場合であっても昇降機に記憶される捕捉トリガ条件および捕捉デバイス情報を遠隔的に設定できるので、昇降機を停止させることを要せずに昇降機の故障調査を効率的に行なえる。なお、必要に応じて、前記の設定指令手段より条件設定指令およびデバイス設定指令のいずれか一方のみを出力してもよい。
【０００９】
また、本発明の請求項２に係わる発明は、あらかじめパターン化した複数の前記捕捉トリガ条件および捕捉デバイス情報を記憶する記憶部と、これらの捕捉トリガ条件および捕捉デバイス情報のいずれかを選択する選択手段とを備えた構成にした。
【００１０】
このように構成した請求項２に係わる発明では、記憶部に記憶されるパターン化した複数の捕捉トリガ条件および捕捉デバイス情報のいずれかを選択手段により選択し、条件設定指令およびデバイス設定指令を一般公衆回線を介して昇降機へ送信する。これによって、昇降機の故障が通常想定できないような特殊なため故障調査に必要な情報が取得できなかった場合に、所定の捕捉トリガ条件および捕捉デバイス情報を容易に設定することができる。
【００１１】
また、本発明の請求項３に係わる発明は、前記第２記憶部に記憶される捕捉トリガ条件、および第３記憶部に記憶される捕捉デバイス情報をそれぞれ遠隔的に書き換える書き換え手段を備えた構成にした。
【００１２】
このように構成した請求項３に係わる発明では、設定指令手段より条件設定指令およびデバイス設定指令の少なくとも一方を出力し、これらの条件設定指令およびデバイス設定指令に基づいて、書き換え手段により昇降機の第２記憶部に記憶される捕捉トリガ条件、および第３記憶部に記憶される捕捉デバイス情報をそれぞれ遠隔的に書き換える。これによって、昇降機が捕捉トリガ条件および捕捉デバイス情報を設定する機能を備えていない機種の場合であっても、この昇降機に通常想定することができないような特殊な故障が発生した際に、昇降機を停止させることを要せずに、昇降機の故障調査を円滑に行なえる。
【発明の効果】
【００１３】
本発明は、昇降機に通常想定することができないような特殊な故障が発生した場合であっても昇降機を停止させることを要せずに、効率的に昇降機の故障調査を行なうことができる。
【発明を実施するための最良の形態】
【００１４】
以下、本発明の昇降機の故障状態表示装置の実施の形態を図に基づいて説明する。
【００１５】
図１は本発明の一実施形態に係わる昇降機の故障状態表示装置を示すブロック図、図２は本実施形態による処理手順を示すフローチャート、図３は本実施形態で用いられる故障調査用の情報の初期設定パターンを示す図、図４は本実施形態で用いられる捕捉デバイス情報の任意設定パターンを示す図、図５は本実施形態で用いられる捕捉トリガ条件の任意設定パターンを示す図、図６は本実施形態で得た故障調査用の情報の一例を示す図である。
【００１６】
図１に示す昇降機１は、種々の制御を行なう制御部２と、この制御部２に接続され、一般公衆回線１０と接続するための通信機能を有する通信部３と、昇降機１に故障が発生したときに故障調査用の情報（故障データ）を格納する第１記憶部４と、昇降機１から出力される出力信号がどのような状態になったときに前記の故障データとして捕捉するかに関する捕捉トリガ条件を記憶する第２記憶部５と、昇降機１のどの部位から出力される出力信号を前記の故障データとするかに関する捕捉デバイス情報を格納する第３記憶部６とを備えている。
【００１７】
そして、本実施形態の故障状態表示装置２１は、例えば昇降機保守会社の事務所内に設置されており、一般公衆回線１０を介して昇降機１の通信部３に接続される通信部２３と、この通信部２３に接続される制御部２２と、故障データを表示する表示部２４と、当該故障状態表示装置２１を操作する機能を有する入力部２５と、昇降機１の第１記憶部４から取得した故障データを格納する第１記憶部２６と、昇降機１の第２記憶部５と同じ捕捉トリガ条件を格納する第２記憶部２７と、昇降機１の第３記憶部６と同じ捕捉デバイス情報を格納する第３記憶部２８と、あらかじめパターン化した複数種類の捕捉トリガ条件および捕捉デバイス情報を記憶する第４記憶部２９とを備えている。
【００１８】
表示部２４は、例えば、図３〜図５に示す表示画面Ａ１や図６に示す表示画面Ｂ１などを表示するようになっている。図３の表示画面Ａ１では昇降機１にあらかじめ設定される初期設定状態のパターンが表示されており、図４の表示画面Ａ１では捕捉デバイス情報を設定するパターンが表示されており、図５の表示画面Ａ１では捕捉トリガ条件を設定するパターンが表示されている。なお、これらの図３〜図５に示す表示画面Ａ１には、捕捉デバイス情報一覧表Ａ２、あらかじめ複数種類パターン化した捕捉トリガ条件判定回路図Ａ３、前記の回路図の判定条件一覧表Ａ４、前記の回路図の選択パターン番号Ａ５、および設定した情報や条件を昇降機１に送信する送信釦Ａ６が含まれている。
【００１９】
捕捉デバイス情報一覧表Ａ２は、捕捉デバイス名称Ａ２１、捕捉デバイスＡ２２、および捕捉デバイスのアドレスＡ２３を有し、判定条件一覧表Ａ４は、判定条件の各番号Ａ４１、判定条件に使用するデバイスＡ４２、デバイスのアドレスＡ４３、判定条件に使用する判定式Ａ４４、および判定条件に使用する判定値Ａ４５を有している。
【００２０】
この実施形態にあっては、図２に示す処理手順にしたがって昇降機１の故障調査を行なうようになっている。すなわち、手順Ｓ１として昇降機保守会社の技術者が故障状態表示装置２１を作動させて故障調査を開始すると、手順Ｓ２として制御部２２の制御により、昇降機１の第１記憶部４から故障データを遠隔で取得して第1記憶部２６に格納し、昇降機１の第２記憶部５に保存されている捕捉トリガ条件を遠隔で取得して第2記憶部２８に格納し、昇降機１の第３記憶部６に保存されている捕捉デバイス情報も遠隔で取得して第３記憶部２８に格納する。次に手順Ｓ３として、手順Ｓ１で取得した故障データを参照し、昇降機１の故障調査に有効なデータがあるかどうかを確認する。その結果、昇降機１の故障調査に有効なデータがあった場合、手順Ｓ４としてこのデータに基づいて故障調査を実施し、手順Ｓ５として昇降機１の故障原因の判明および対策を実施する。
【００２１】
ここで、例えば昇降機１が走行中に図示しないドア関係の故障によって非常停止した場合に、昇降機１にて捕捉デバイス情報Ａ２にある非常停止回数がカウントアップして、判定条件一覧表Ａ４に含まれる項目Ｂが判定式Ａ４４および判定値Ａ４５と比較し有効となるため、判定回路図Ａ３にて項目Ｂが有効となり、判定回路全体として有効となる。これにより、昇降機１の制御部２は、捕捉デバイス情報一覧表Ａ２に登録済みの捕捉デバイスＡ２２のデータを昇降機１のデータアドレスＡ２３から読み出し、第１記憶部４に故障データを格納する。次いで、制御部２２の制御により、昇降機１の第１記憶部４に格納された前記の故障データを一般公衆回線１０を介して遠隔で取得して表示部２４で表示し、昇降機保守会社の技術者は、表示部２４で表示される捕捉デバイス情報一覧表Ａ２に登録済みの前記の故障データを確認して故障の原因究明を行なう。例えば、捕捉デバイス情報一覧表Ａ２に登録済みの主ＴＣＤを確認すると、図５に示すように判定値Ａ４５が「４３」となっている場合、技術者は前記のデータをもとに故障の原因を推定することができる。
【００２２】
しかしながら、捕捉デバイス情報一覧表Ａ２には前記のドアの動作、電源の状態、および制御部２の処理負荷の状態が登録されておらず、故障の原因を特定することができない場合、前記の故障が発生した昇降機１は、故障対応に出動した昇降機保守会杜の保守員により暫定的に復旧させるが、根本的な原因が不明なため、本対策ができないままとなっており、再度故障が発生する可能性がある。そこで、前記の手順Ｓ３で昇降機１の故障調査に有効なデータがなかった場合、手順Ｓ６として、入力部２５の入力操作により故障調査に有効なデータを捕捉するように捕捉トリガ条件を作成し、この作成した捕捉トリガ条件を第２記憶部２７に格納するとともに、手順Ｓ７として同様に捕捉デバイス情報を作成し、この作成した捕捉デバイス情報を第３記憶部２８に格納する。次いで、手順Ｓ８として、前記の手順Ｓ６、Ｓ７にて保存した捕捉トリガ条件および捕捉デバイス情報を通信部２３により一般公衆回線１０を介して昇降機１の通信部３に送信した後、手順Ｓ９として、昇降機１の制御部２は、受信した捕捉トリガ条件を第２記憶部５に格納し、捕捉デバイス情報を第３記憶部６に格納する。次いで、手順Ｓ１０として、昇降機１に故障が再発したとき、手順Ｓ１１として再度故障調査を開始し、手順Ｓ２に戻り、同様の調査を再度実施することによって昇降機１の故障原因が判明するまで故障調査を実施する。
【００２３】
ここで、例えば前記の故障データの主ＴＣＤの判定値Ａ４５が「００」となっており、捕捉デバイス情報Ａ２に登録済みの他の故障データを確認しても有効な故障データが無い場合に、前記の技術者は、前記のドアの動作、電源の状態および制御部２の処理負荷の状態を図４の捕捉デバイス情報Ａ２のように、故障の原因の特定に有効と考えられる故障データを登録し、昇降機１に対して一般公衆回線１０を介して遠隔で送信し昇降機１の第３記憶部６に格納しておく。その後、前記の故障と同様の故障が再度発生したとき、昇降機１の制御部２は第３記憶部６から捕捉デバイス情報を参照し、前記のドアの動作、電源の状態および制御部２の処理負荷の状態を第１記憶部４に格納する。次いで、前記の技術者は、故障状態表示装置２１により前記のドアの動作、電源の状態および制御部２の処理負荷の状態を確認することにより、前記の故障の原因を特定する。
【００２４】
また、昇降機１が停止中に故障が発生した場合、図３の判定条件一覧表Ａ４の項目Ｂの非常停止回数がカウントアップせず項目Ｂの条件が成立しないため、昇降機１の制御部２は、捕捉デバイス情報一覧表Ａ２に登録済みのデータを第１記憶部４に格納しない。同様に、判定条件一覧表Ａ４の項目全ての条件が成立しなかった場合に、制御部２は、故障データ自体を昇降機１の第１記憶部に格納しないため、故障状態表示装置２１は故障データを取得することができず、故障の原因を特定することができない。そこで、前記の技術者は自己の知識により、判定条件一覧表Ａ４の条件が成立するように判定条件を設定し、また同様に捕捉トリガ条件判定回路図Ａ３についても故障データの捕捉トリガ条件が成立するように捕捉トリガ条件判定回路を設定する。このとき、前記の技術者は、例えば前記の故障が発生した前後の時点の昇降機１のドアがどのような動作をしていたのかという点、前記の故障が発生した前後の時点の昇降機１の電源の状態がどうだったのかという点、および、前記の故障が発生した前後の時点の昇降機１の制御部２の処理負荷の状態がどうだったという点などを考慮して、故障の原因を特定することが可能であると判断し、上述した捕捉トリガ条件を設定する。次いで、この捕捉トリガ条件を昇降機１に対して一般公衆回線１０を介して送信し、第２記憶部５に格納しておく。次いで、前記の故障と同様の故障が再度発生したとき、昇降機１の制御部２は、昇降機１の第２記憶部５から捕捉トリガ条件を参照し、前記の捕捉トリガ条件が成立したときに、制御部２は第３記憶部６に格納されている捕捉デバイス情報が示す故障データを第１記憶部４に格納する。次いで、前記の技術者は、表示部２４により故障データを確認し、前記のドアの動作、電源の状態および制御部２の処理負荷の状態を把握することにより前記の故障の原因を特定し、故障の本対策を実施して故障の再発を防ぐ。
【００２５】
このように構成した実施形態では、昇降機１に通常想定することができないような特殊な故障が発生した場合であっても、昇降機１に記憶される捕捉トリガ条件および捕捉デバイス情報を遠隔的に設定できるので、昇降機１を停止させることを要せずに昇降機１の故障調査を効率的に行なえる。さらに、この故障調査を実施する際に昇降機保守会社の技術者は故障調査用の情報を遠隔で取得するので、昇降機１が設置される建物に出張する必要がなく済む。
【００２６】
また、本実施形態では、図２の手順Ｓ６および手順Ｓ７にて捕捉トリガ条件および捕捉デバイス情報を作成するときに、予め決まったパターンの捕捉トリガ条件、および捕捉デバイス情報を故障状態表示装置２１の第４記憶部２９に複数格納しておき、必要に応じて第４記憶部２９から取り出し、手順Ｓ８にて遠隔で送信することにより、容易に捕捉トリガ条件および捕捉デバイス情報を設定することができる。例えば、昇降機１のドア関係の故障の場合、ドアに関する捕捉デバイス情報およびトリガ条件を登録した複数種類のパターンを作成しておき、ドア関係の故障が発生した場合に、前記のパターンを選択して昇降機１に遠隔で送信することにより容易に捕捉デバイスやトリガ条件の設定を行なうことができる。
【００２７】
なお、上記実施形態にあっては、制御部２２により、捕捉トリガ条件を設定する条件設定指令、および捕捉デバイス情報を設定するデバイス設定指令を出力する設定指令手段が構成され、第4記憶部２９により、あらかじめパターン化した複数の捕捉トリガ条件および捕捉デバイス情報を記憶する記憶部が構成され、入力部２５により、これらの捕捉トリガ条件および捕捉デバイス情報のいずれかを選択する選択手段が構成されている。
【００２８】
さらに、本実施形態では、昇降機１が捕捉トリガ条件および捕捉デバイス情報を設定変更する機能を備えている場合を例示したが、本発明はこれに限らず、前記の機能を備えていない機種の場合、手順Ｓ８にて通信部２３により遠隔で捕捉トリガ条件および捕捉デバイス情報を送信するときに、昇降機１の第２記憶部５に記憶される捕捉トリガ条件、および第３記憶部６に記憶される捕捉デバイス情報をそれぞれ遠隔的に書き換えることにより、この昇降機に通常想定することができないような特殊な故障が発生した場合であっても、昇降機を停止させることを要せずに昇降機の故障調査を円滑に行なえる。
【図面の簡単な説明】
【００２９】
【図１】本発明の一実施形態に係わる昇降機の故障状態表示装置を示すブロック図である。
【図２】本実施形態による処理手順を示すフローチャートである。
【図３】本実施形態で用いられる故障調査用の情報の初期設定パターンを示す図である。
【図４】本実施形態で用いられる捕捉デバイス情報の任意設定パターンを示す図である。
【図５】本実施形態で用いられる捕捉トリガ条件の任意設定パターンを示す図である。
【図６】本実施形態で得た故障調査用の情報の一例を示す図である。
【符号の説明】
【００３０】
１    昇降機
４    第１記憶部
５    第２記憶部
６    第３記憶部
１０    一般公衆回線
２１    故障状態表示装置
２２    制御部（設定指令手段）
２３    第１記憶部
２４    表示部
２５    入力部（選択手段）
２６    第１記憶部
２７    第２記憶部
２８    第３記憶部
２９    第４記憶部（記憶部）
【図１】
2005067760.tif 000003
【図２】
2005067760.tif 000004
【図３】
2005067760.tif 000005
【図４】
2005067760.tif 000006
【図５】
2005067760.tif 000007
【図６】
2005067760.tif 000008